(57)【要約】【課題】動画撮影中に動画の連続性を保ちつつ、任意の時間位置にチャプタを作成することができる撮像装置を提供する。【解決手段】チャプタ作成指令部３００ａは、撮影が開始されると、メモリ２０６にチャプタテーブル４０３を転送する。ユーザが、チャプタ作成ボタン２０１Ｄを押したとき、チャプタテーブル４０３の空きテーブル４０３ｋにチャプタが作成される。撮影終了後、チャプタ作成司令部３００ａは、メモリ２０６のチャプタテーブル４０３を記憶部２０４に転送する。以上の動作によって任意の時間位置にチャプタを作成することができる。【選択図】図３
2008011036.tif 000002
【特許請求の範囲】
【請求項１】
撮影データを処理して録画データを作成する信号処理部と、
前記信号処理部によって処理された前記録画データを記憶する第一の記憶部と、
再生開始点を定めるチャプタの作成を指令するチャプタ作成指令部と、
前記録画データ作成中に前記チャプタのチャプタ番号等のチャプタデータを登録するチャプタテーブルを一時的に記憶する第二の記憶部と、
前記チャプタ作成指令部が前記チャプタの作成を指令したとき、前記第二の記憶部の前記チャプタテーブルに前記チャプタデータを登録し、前記録画データ作成終了後に、前記チャプタテーブルを前記第一の記憶部に転送させるチャプタ登録部とを有することを特徴とする撮像装置。
【請求項２】
前記チャプタ作成指令部は、チャプタの作成を要求するボタンが操作されたとき、前記チャプタの作成を指令することを特徴とする請求項１に記載の撮像装置。
【請求項３】
前記チャプタ作成指令部は、撮影を停止したとき、前記チャプタの作成を指令することを特徴とする請求項１に記載の撮像装置。
【請求項４】
前記チャプタ作成指令部は、作成したチャプタの削除を要求するボタンが操作されたとき、前記作成したチャプタの削除を指令することを特徴とする請求項１に記載の撮像装置。
【請求項５】
録画データを記憶する第一の記憶部と、
前記第一の記憶部に記憶された前記録画データを処理して再生信号を出力する信号処理部と、
前記再生信号に基づいて動画を表示する表示部と、
再生開始点を定めるチャプタの作成を指令するチャプタ作成指令部と、
前記動画再生中に前記チャプタのチャプタ番号等のチャプタデータを登録するチャプタテーブルを一時的に記憶する第二の記憶部と、
前記チャプタ作成指令部が前記チャプタの作成を指令したとき、前記第二の記憶部の前記チャプタテーブルに前記チャプタデータを登録し、前記録画データ再生終了後に、前記チャプタテーブルを前記第一の記憶部に転送させるチャプタ登録部とを有することを特徴とする撮像装置。
【請求項６】
前記チャプタ作成指令部は、チャプタの作成を要求するボタンが操作されたとき、前記チャプタの作成を指令することを特徴とする請求項５に記載の撮像装置。
【請求項７】
前記チャプタ作成指令部は、作成したチャプタの削除を要求するボタンが操作されたとき、前記作成したチャプタの削除を指令することを特徴とする請求項５に記載の撮像装置。
【請求項８】
録画データを記憶する第一の記憶部と、
前記第一の記憶部に記憶された前記録画データを処理して再生信号を出力する信号処理部と、
前記再生信号に基づいて動画を表示する表示部と、
前記動画の再生中に前記チャプタのチャプタ番号等のチャプタデータを登録したチャプタテーブルを一時的に記憶する第二の記憶部と、
前記チャプタテーブル中の前記チャプタと当該チャプタに関連した画像を前記表示部に表示させるメニュー処理部とを有することを特徴とする撮像装置。
【請求項９】
前記メニュー処理部は、外部からの選択信号に基づいて前記表示部に表示された前記チャプタを選択することを特徴とする請求項８に記載の撮像装置。
【請求項１０】
前記メニュー処理部は、前記チャプタが選択されたとき、前記チャプタに続く動画を再生することを特徴とする請求項８に記載の撮像装置。
【請求項１１】
前記メニュー処理部は、前記チャプタが選択されたとき、前記チャプタを削除することを特徴とする請求項８に記載の撮像装置。
【発明の詳細な説明】
【技術分野】
【０００１】
本発明は、動画撮影中または再生中において、複数の任意の時間位置にチャプタを作成することができる撮像装置に関する。
【背景技術】
【０００２】
従来の技術として、例えば、動画撮影中に撮影が一時停止され、その後、撮影が再開された時間位置をチャプタとすることにより、自動でチャプタを作成する撮像装置がある。（例えば、特許文献１）
【０００３】
この撮像装置によると、動画撮影中に撮影が一時停止した後、撮影を再開した時間位置に自動でチャプタが作成され、このチャプタとともに撮影データが録画される。この録画データを再生するときは、録画の開始時点に再生ポインタを設定できることは当然であるが、撮影再開時間位置に作成されたチャプタにも再生ポインタを設定して再生開始点を選択することができる。
【特許文献１】特開２００４−３６４３２５号公報
【発明の開示】
【発明が解決しようとする課題】
【０００４】
しかし、従来の撮像装置では、撮影再開時間位置にチャプタが作成されるため、チャプタが作成される時間位置は、かならずしもユーザの希望する時間位置とは限らず、ユーザが動画撮影中の任意の時間位置にチャプタを作成し、これを再生開始点とすることはできない。一方、任意の時間位置にチャプタを作成しようとして、動画撮影中に一時停止を繰り返すと、動画の持つ連続性が損なわれる。
【０００５】
従って、本発明の目的は、動画の連続性を保ちつつ、任意の時間位置にチャプタを作成することができる撮像装置を提供することにある。
【課題を解決するための手段】
【０００６】
本発明の実施の形態によると、撮影データを処理して録画データを作成する信号処理部と、前記信号処理部によって処理された前記録画データを記憶する第一の記憶部と、再生開始点を定めるチャプタの作成を指令するチャプタ作成指令部と、前記録画データ作成中に前記チャプタのチャプタ番号等のチャプタデータを登録するチャプタテーブルを一時的に記憶する第二の記憶部と、前記チャプタ作成指令部が前記チャプタの作成を指令したとき、前記第二の記憶部の前記チャプタテーブルに前記チャプタデータを登録し、前記録画データ作成終了後に、前記チャプタテーブルを前記第一の記憶部に転送させるチャプタ登録部とを有することを特徴とする撮像装置が提供される。
【０００７】
この構成によれば、動画撮影中おいて、複数の任意の時間位置にチャプタを作成することができる。
【０００８】
本発明の実施の形態によると、録画データを記憶する第一の記憶部と、前記第一の記憶部に記憶された前記録画データを処理して再生信号を出力する信号処理部と、前記再生信号に基づいて動画を表示する表示部と、再生開始点を定めるチャプタの作成を指令するチャプタ作成指令部と、前記動画再生中に前記チャプタのチャプタ番号等のチャプタデータを登録するチャプタテーブルを一時的に記憶する第二の記憶部と、前記チャプタ作成指令部が前記チャプタの作成を指令したとき、前記第二の記憶部の前記チャプタテーブルに前記チャプタデータを登録し、前記録画データ再生終了後に、前記チャプタテーブルを前記第一の記憶部に転送させるチャプタ登録部とを有することを特徴とする撮像装置が提供される。
【０００９】
この構成によれば、動画再生中おいて、複数の任意の時間位置にチャプタを作成することができる。
【００１０】
本発明の実施の形態によると、録画データを記憶する第一の記憶部と、前記第一の記憶部に記憶された前記録画データを処理して再生信号を出力する信号処理部と、前記再生信号に基づいて動画を表示する表示部と、前記動画の再生中に前記チャプタのチャプタ番号等のチャプタデータを登録したチャプタテーブルを一時的に記憶する第二の記憶部と、前記チャプタテーブル中の前記チャプタと当該チャプタに関連した画像を前記表示部に表示させるメニュー処理部とを有することを特徴とする撮像装置を提案する。
【００１１】
この構成によれば、チャプタに関連した画像を表示部に表示でき、容易に希望の再生開始点を選択することができる。
【発明の効果】
【００１２】
本発明の実施の形態によれば、動画撮影中や再生中に、希望する任意の時間位置にチャプタを作成することができる。また、チャプタに関連した画像を表示することによって、容易に希望の再生開始点を選択、またはチャプタの削除が可能になる。
【発明を実施するための最良の形態】
【００１３】
以下に、本発明の撮像装置の実施の形態を図面を参考にして詳細に説明する。
【００１４】
（撮像装置の構成）
図１（ａ）は、本発明の実施の形態に関する撮像装置の背面方向からの斜視図である。
【００１５】
撮像装置１０は、内部にＣＣＤ（Ｃｈａｒｇｅ  Ｃｏｕｐｌｅｄ  Ｄｅｖｉｃｅｓ）、ＣＰＵ、小型のＨＤＤ（Ｈａｒｄ Ｄｉｓｃ Ｄｒｉｖｅ）等の電子部品を有する本体１００と、ズーム機能を有し、ＣＣＤに結像するための複数のレンズ群よりなるレンズ（図示せず）と、本体１００の側部に可動式で取り付けられ、文字、画像等を表示する表示部２０３と、各種操作が可能な入力ボタン群２０１ｅとを有する。
【００１６】
入力ボタン群２０１ｅは、撮影開始を指示する撮影ボタン２０１Ａと、動画の再生速度を正方向にも逆方向にも連続的に変えることができるジョグダイアル２０１Ｂと、撮影の停止や一時停止等を指示できる十字ボタン２０１Ｃと、チャプタを作成できるチャプタ作成ボタン２０１Ｄと、チャプタの一覧表示を可能にするチャプタ表示ボタン２０１Ｅを有する。
【００１７】
図１（ｂ）は、図１（ａ）のジョグダイアル２０１Ｂの内側に配置された十字ボタン２０１Ｃの拡大図である。
【００１８】
十字ボタン２０１Ｃは、撮影や動画の再生を一時停止させる一時停止ボタン２０１ａと、動画を再生させる再生ボタン２０１ｂと、後述するチャプタテーブル４０３に登録したチャプタデータを削除できるチャプタ削除ボタン２０１ｃと、撮影や再生を停止させる停止ボタン２０１ｄとを有する。
【００１９】
図２は、本発明の実施の形態に関する撮像装置の概略構成図である。
【００２０】
撮像装置１０は、入力ボタン群２０１ｅの操作により入力信号発生部２０１から出力される入力信号に従って各部に命令を送信し、各部の信号処理を行うＣＰＵ２００と、撮影する像を画像信号として電気的に出力するＣＣＤ２０８と、ＣＣＤ２０８の出力信号をデジタルに変換するＡ／Ｄ変換部２０７と、入力される画像信号を統括的に管理する信号処理部２０２と、後述するチャプタテーブル４０３等を一時的に記録するメモリ２０６と、画像信号の圧縮および伸張を行う動画コーデック部２０５と、圧縮された録画データ３０等を記憶する記憶部２０４と、撮影時および再生時の画像モニタとしての表示部２０３と、外部と通信をするＬＡＮ２０９及びＵＳＢ２１０を有する。
【００２１】
（ソフトウェアの構成）
図３は、本発明の実施の形態におけるソフトウェア構成を示す概略図である。
【００２２】
ソフトウェア２０は、アプリケーション群３０００と、オペレーティングシステム３０１と、ドライバ群３００１とからなり、各ドライバに対応したハードウェアとしてのデバイス群２０００が接続されている。ソフトウェア２０は、記憶部２０４に保存されており、ＣＰＵ２００により処理され動作する。
【００２３】
アプリケーション群３０００は、撮影や再生等のモードを制御するモード制御３００Ａと、各種メニュー項目を処理するメニュー処理３００Ｂと、撮影時に画像のエンコード処理や動画記録処理等を行う撮影処理３００Ｃと、再生時に画像のデコード処理等を行う再生処理３００Ｄと、チャプタデータの作成を指示するチャプタ作成３００Ｅを有する。チャプタ作成３００Ｅは、チャプタ作成指令部３００ａとチャプタ登録部３００ｂを含む。
【００２４】
オペレーティングシステム３０１は、アプリケーション群３０００とドライバ群３００１を統括して管理する。
【００２５】
ドライバ群３００１は、入力信号発生部２０１を管理する入力ドライバ３０２と、信号処理部２０２を管理する画像処理ドライバ３０３と、表示部２０３を管理する表示ドライバ３０４と、記憶部２０４とメモリ２０６を管理するメディア制御ドライバ３０５と、動画コーデック部２０５を管理するコーデックドライバ３０６と、外部と通信をするＬＡＮ２０９及びＵＳＢ２１０を管理する通信ドライバ３０７を有する。
【００２６】
（録画データの構成）
図４（ａ）は、本発明の実施の形態における録画データの概略構成図である。
【００２７】
録画データ３０は、動画の記録や再生を管理するヘッダ４０１と、画像データ４０２を有する。ヘッダ４０１は、チャプタデータを登録するチャプタテーブル４０３を有する。画像データ４０２は、動画の記録時間に応じた複数のＧＯＰ（Ｇｒｏｕｐ  ｏｆ  Ｐｉｃｔｕｒｅ）と呼ばれる、例えば０．５秒単位の画像データのあつまり＃１・・・・＃ｋ・・・・＃ｘ・・・・から構成される。
【００２８】
図４（ｂ）及び（ｃ）は、本発明の実施の形態におけるチャプタテーブルの概略構成図である。
【００２９】
チャプタテーブル４０３は、チャプタテーブルの先頭のテーブルである先頭テーブル４０３ａと、登録されたチャプタの最後尾のテーブルである最後尾テーブル４０３ｊと、チャプタが登録されていないテーブルの先頭である空きテーブル４０３ｋと、チャプタを登録可能なテーブルに設定される書き込みポインタ４０４と、挿入したいチャプタの時間位置と比較するために設定される比較ポインタ４０３Ａと、挿入したいチャプタの時間位置に設定される挿入ポインタ４０３Ｂとから構成される。
【００３０】
（チャプタ一覧表示画面の構成）
図５は、本発明の実施の形態に関するチャプタ一覧表示画面の概略図である。
【００３１】
チャプタ一覧表示画面は、登録されたチャプタ７０１〜７０３を時系列にそって表示するチャプタ一覧画面７０４と、チャプタ番号や再生時間等のチャプタデータを表示するチャプタ情報画面７０５と、選択可能な再生アイコン７０７、削除アイコン７０８、キャンセルアイコン７０９が表示される選択指示画面７０６とで構成される。
【００３２】
（動作）
以下に、本発明の実施の形態における撮像装置の動作を図１から図８を参照しつつ説明する。
【００３３】
図６Ａおよび図６Ｂは、本発明の実施の形態に関する動画撮影時におけるチャプタ挿入のフローチャートである。
【００３４】
図４（ｂ）における、チャプタテーブル４０３を例に取りながら、説明する。
【００３５】
ユーザが撮影ボタン２０１Ａを押し下げ、動画撮影を開始すると（ｓ１１）、チャプタ作成司令部３００ａが、メモリ２０６にチャプタテーブル４０３を設定する（ｓ１２）。チャプタテーブル４０３は、チャプタデータを登録できるテーブルをもつ。テーブルには、チャプタ番号等のチャプタデータが登録される。チャプタ作成司令部３００ａは、空きテーブル４０３ｋに、書き込みポインタ４０４を設定する（ｓ１３）。ユーザが、動画撮影中に、チャプタ作成ボタン２０１Ｄまたは、一時停止ボタン２０１ａを押し下げすると（ｓ１４；Ｙｅｓ）、チャプタ作成司令部３００ａは、チャプタテーブル４０３に空きがあるか確認し、空きがあるとき（ｓ１５；Ｙｅｓ）、チャプタ登録部３００ｂが、空きテーブル４０３ｋにチャプタデータを登録する（ｓ１６）。さらにチャプタ作成司令部３００ａは、チャプタテーブル４０３に空きがあるか確認し、空きがあるとき（ｓ１７；Ｙｅｓ）、空きチャプタテーブルの先頭に書き込みポインタ４０４を設定する（ｓ１８）。
【００３６】
ここで、ステップｓ１４において、ユーザが、チャプタ作成ボタン２０１Ｄまたは、一時停止ボタン２０１ａを押さなければ（ｓ１４；Ｎｏ）、ステップｓ１９に処理を進める。
【００３７】
ここで、ステップｓ１５、及びステップｓ１７において、チャプタテーブル４０３に空きがなければ（ｓ１５；Ｎｏ）（ｓ１７；Ｎｏ）、ステップｓ１９に処理を進める。
【００３８】
ここで、ステップｓ１９において、ユーザがチャプタ削除ボタン２０１ｃを押さなければ（ｓ１９；Ｎｏ）、チャプタ作成司令部３００ａが、撮影終了であるか否かを確認して、撮影終了ならば（ｓ２２；Ｙｅｓ）、メモリ２０６のチャプタテーブル４０３を記憶部２０４に転送して（ｓ２３）、動作を終了する。また、撮影終了でないなら（ｓ２２；Ｎｏ）、ステップｓ１４に戻る。
【００３９】
ここで、ステップｓ１９において、ユーザが，チャプタ削除ボタン２０１ｃを押すと（ｓ１９；Ｙｅｓ）、チャプタ作成司令部３００ａは、書き込みポインタ４０４を、一つ前のチャプタの登録された空きテーブル４０３ｋに移動させて（ｓ２０）、空きテーブル４０３ｋに登録されたチャプタデータを削除し（ｓ２１）、ステップｓ１９に戻って処理を続ける。
【００４０】
図７Ａ及び図７Ｂは、本発明の実施の形態に関する再生時におけるチャプタ挿入のフローチャートである。
【００４１】
図４（ｃ）における、チャプタテーブル４０３のチャプタ０５（ＧＯＰ  ＃ｅ）とチャプタ０６（ＧＯＰ  ＃ｉ）の間にチャプタを挿入する場合を例に取りながら説明する。
【００４２】
ユーザが、再生ボタン２０１ｂを押し下げると、動画の再生が開始される（ｓ３１）。チャプタ作成を希望する再生箇所に来たとき、ユーザが、チャプタ作成ボタン２０１Ｄを押し下げすると（ｓ３２；Ｙｅｓ）、チャプタ作成司令部３００ａが、チャプタテーブル４０３に空きがあるか否か確認し、空きがあるとき（ｓ３３；Ｙｅｓ）、メモリ２０６にチャプタテーブル４０３を設定する（ｓ３４）。
【００４３】
ここで、ステップｓ３２において、ユーザが、チャプタ作成ボタン２０１Ｄを押されなければ（ｓ３２；Ｎｏ）、チャプタ作成司令部３００ａは処理を終了する。
【００４４】
ここで、ステップｓ３３において、チャプタテーブル４０３に空きが無ければ（ｓ３３；Ｎｏ）、チャプタ作成司令部３００ａは処理を終了する。
【００４５】
チャプタ作成司令部３００ａは、チャプタテーブル４０３の先頭チャプタ４０３ａに、比較ポインタ４０３Ａを設定する（ｓ３５）。ユーザが、挿入したいチャプタの任意の時間位置を、挿入ポインタ４０３Ｂとし、比較ポインタ４０３Ａと挿入ポインタ４０３Ｂの時間位置を比較する（ｓ３６）。ここで、図４（ｂ）における、チャプタ０１（ＧＯＰ  ＃１）とは、ＧＯＰ  ＃１にチャプタ０１が挿入されていることを表わす。従って、ポインタが指す時間位置は、ＧＯＰ単位（０．５秒）である。比較ポインタ４０３Ａと挿入ポインタ４０３Ｂが等しいなら（ｓ３７；Ｙｅｓ）、チャプタはすでに入れたい時間位置にあるので、メモリ２０６のチャプタテーブルを記憶部２０４に転送して（ｓ４７）処理は終了する。
【００４６】
チャプタ作成司令部３００ａは、比較ポインタ４０３Ａと挿入ポインタ４０３Ｂが等しくなく（ｓ３７；Ｎｏ）、挿入ポインタ４０３Ｂの方が比較ポインタ４０３Ａよりも大きいとき（ｓ３８；Ｎｏ）、比較ポインタ４０３Ａが、最後尾チャプタ１０（ＧＯＰ＃ｘ）かどうか否か確認し、最後尾でなければ（ｓ４１；Ｎｏ）、比較ポインタ４０３Ａが指すテーブルの１つ上のテーブルに、比較ポインタ４０３Ａを再設定し（ｓ４３）、再び比較ポインタ４０３Ａと挿入ポインタ４０３Ｂを比較する（ｓ３７）。
【００４７】
チャプタ登録部３００ｂは、比較ポインタ４０３Ａが、書き込まれているテーブルの最後尾にあるとき（ｓ４１；Ｙｅｓ）、空きテーブル４０３ｋの先頭にチャプタデータを登録する（ｓ４２）。
【００４８】
チャプタ作成司令部３００ａが、ステップｓ３７、ステップｓ３８、ステップｓ４１、ステップｓ４３を繰り返していくと、やがて挿入ポインタ４０３Ｂに時間的に１番近くて、挿入ポインタ４０３Ｂよりも時間的にあとにあるテーブルを、比較ポインタ４０３Ａが示す（ｓ３８；Ｙｅｓ）。今の場合、挿入ポインタ４０３Ｂは、チャプタ０５とチャプタ０６の間にあるので、比較ポインタ４０３Ａは、チャプタ０６を指す。比較ポインタ４０３Ａの示すチャプタ０６に、登録したいチャプタを挿入するため、比較ポインタ４０３Ａ以降のテーブルをひとつずつ増分する。また、比較ポインタ４０３Ａ以降のチャプタ番号をひとつずつ増やす（ｓ３９）。例えば、チャプタ０６はチャプタ０７に、チャプタ１０はチャプタ１１に。チャプタ０６が登録されていたテーブルにチャプタを挿入し（ｓ４０）、その後チャプタ削除ボタン２０１ｃが押されないなら（ｓ４４；Ｎｏ）、メモリ２０６のチャプタテーブルを記憶部２０４に転送して（ｓ４７）処理は終了する。
【００４９】
ユーザが、ステップｓ４４において、チャプタ削除ボタン２０１ｃを押し下げると（ｓ４４；Ｙｅｓ）、最後に登録したチャプタデータを削除して（ｓ４５）、ｓ３９とは逆の手順で、空いたテーブルをひとつずつつめて（ｓ４６）、メモリ２０６のチャプタテーブル４０３を記憶部２０４に転送して（ｓ４７）処理は終了する。
【００５０】
図８Ａ及び図８Ｂは、本発明の実施の形態に関するチャプタ一覧表示画面の動作を示すフローチャートである。
【００５１】
登録したチャプタを表示部に一覧表示をし、選択したチャプタからの再生や選択したチャプタの削除等に関するフローチャートである。図５に図示する、チャプタ画像７０１〜７０３を参考にしながら説明する。
【００５２】
撮像装置の電源を入れ、チャプタ表示ボタンを押し下げすると（ｓ８１）、チャプタ作成指令部３００ａは、メモリ２０６にチャプタテーブル４０３を設定する（ｓ８２）。チャプタテーブル４０３に登録されたチャプタデータが例えば、３個以上あるとき（ｓ８３；Ｙｅｓ）、チャプタ作成指令部３００ａは、チャプタテーブル４０３の先頭から三個のチャプタを呼びだし、登録されたチャプタに関連付けた画像を７０１，７０２，７０３を時系列に沿ってチャプタ一覧画面７０４に表示し、選択チャプタ画像７０２を選択状態にし、画像７０１を前チャプタ画像とし、画像７０３を後チャプタ画像７０３とする（ｓ８４）。
【００５３】
ここで、ステップｓ８３において、チャプタテーブルに登録されているチャプタデータが、３個より少ないとき（ｓ８３；Ｎｏ）、１つなら先頭のチャプタを選択状態に、２つならば、２番目のチャプタの画像を選択チャプタ画像７０２とする（ｓ８５）。
【００５４】
チャプタ一覧表示画面７０４に、希望するチャプタがないとき、ユーザは、ジョグダイアル２０１Ｄを使って任意のチャプタを探すことができる（ｓ８６）。
【００５５】
ここで、ステップｓ８７において、ユーザが選択指示画面７０６中の再生アイコン７０７を選択すると（ｓ８７；Ｙｅｓ）、選択チャプタ画面７０２から再生が開始される（ｓ８９）。再生中にチャプタ表示ボタン２０１Ｅが押されなければ（ｓ９０；Ｎｏ）、そのまま再生終了まで再生を続け（ｓ９１）、チャプタ表示ボタン２０１Ｅが押されたなら（ｓ９０；Ｙｅｓ）、ｓ８６に戻り処理を続ける。
【００５６】
ここで、ステップｓ８８において、ユーザが削除アイコン７０８を選択すると（ｓ８８；Ｙｅｓ）、チャプタ作成指令部３００ａは、選択チャプタ画面７０２のチャプタを削除し（ｓ９２）、削除して空いたテーブルに、削除したチャプタ番号のひとつ上の番号から順に、空いたテーブルにチャプタデータを詰めていく（ｓ９３）。
【００５７】
ユーザが、再生アイコン７０７を選択せず（ｓ８７；Ｎｏ）、またチャプタ削除アイコン７０８も選択しないのであれば（ｓ８８；Ｎｏ）、チャプタ作成指令部３００ａは、チャプタ一覧表示を終了するか否か確認し、終了ならば（ｓ９４；Ｙｅｓ）、メモリ２０６のチャプタテーブル４０３を記憶部２０４に転送して終了する。終了でないなら（ｓ９４；Ｎｏ）、ステップｓ８６に戻って処理を続ける。
【００５８】
（実施の形態の効果）
上記した実施の形態によると、動画撮影中にチャプタ作成ボタン２０１Ｄまたは一時停止ボタン２０１ａを押し下げすることで、複数の任意の時間位置にチャプタを作成することが可能になり、任意のチャプタに再生ポインタを設定して再生開始点を選択することができる。
【００５９】
また、上記した実施の形態によると、動画再生中にチャプタ作成ボタン２０１Ｄを押し下げすることで、複数の任意の時間位置にチャプタを作成することが可能になり、任意のチャプタに再生ポインタを設定して再生開始点を選択することができる。
【００６０】
また、チャプタの一覧表示によって、希望のチャプタからの再生や、チャプタの削除が可能になりユーザの利便性が高まる。
【図面の簡単な説明】
【００６１】
【図１】（ａ）は、本発明の実施の形態に関する撮像装置の背面方向からの斜視図である。（ｂ）は、本発明の実施の形態に関する撮像装置のボタン入力部２０１のジョグダイアル２０１Ｂと十字ボタン２０１Ｃの拡大図である。
【図２】本発明の実施の形態に関する撮像装置の概略構成図である。
【図３】本発明の実施の形態に関するソフトウェア構成を示す概略図である。
【図４】（ａ）は本発明の実施の形態に関する動画データの概略構成図である。（ｂ）は、本発明の実施の形態に関するチャプタテーブルの概略図である。
【図５】本発明の実施の形態に関するチャプタ一覧の表示画面を示す図である。
【図６Ａ】本発明の実施の形態に関する撮影中のチャプタ挿入を示すフローチャートである。
【図６Ｂ】本発明の実施の形態に関する撮影中のチャプタ挿入を示すフローチャートである。
【図７Ａ】本発明の実施の形態に関する再生中のチャプタ挿入を示すフローチャートである。
【図７Ｂ】本発明の実施の形態に関する再生中のチャプタ挿入を示すフローチャートである。
【図８Ａ】本発明の実施の形態に関するチャプタ一覧表示画面の動作を示すフローチャートである。
【図８Ｂ】本発明の実施の形態に関するチャプタ一覧表示画面の動作を示すフローチャートである。
【符号の説明】
【００６２】
１０・・・撮像装置、２０・・・ソフトウェア、３０・・・録画データ、１００・・・本体、２００・・・ＣＰＵ，２０１・・・入力信号発生部、２０１Ａ・・・撮影ボタン、２０１Ｂ・・・ジョグダイアル、２０１Ｃ・・・十字ボタン、２０１Ｄ・・・チャプタ作成ボタン、２０１Ｅ・・・チャプタ表示ボタン、２０１ａ・・・一時停止ボタン、２０１ｂ・・・再生ボタン、２０１ｃ・・・チャプタ削除ボタン、２０１ｄ・・・停止ボタン、２０１e・・・入力ボタン群、２０２・・・信号処理部、２０３・・・表示部、２０４・・・記憶部、２０５・・・動画コーデック部、２０６・・・メモリ、２０７・・・Ａ／Ｄ変換部、２０８・・・ＣＣＤ、２０９・・・ＬＡＮ、２１０・・・ＵＳＢ、３００Ａ・・・モード制御、３００Ｂ・・・メニュー処理、３００Ｃ・・・撮影処理、３００Ｄ・・・再生処理、３００Ｅ・・・チャプタ作成、３００ａ・・・チャプタ作成司令部、３００ｂ・・・チャプタ登録部、３０１・・・オペレーティングシステム、３０２・・・入力ドライバ、３０３・・・画像処理ドライバ、３０４・・・表示ドライバ、３０５・・・メディア制御ドライバ、３０６・・・コーデックドライバ、３０７・・・通信ドライバ、４０１・・・ヘッダ、４０２・・・画像データ、４０３・・・チャプタテーブル、４０３Ａ・・・比較ポインタ、４０３Ｂ・・・挿入ポインタ、４０３ａ・・・先頭テーブル、４０３ｊ・・・最後尾テーブル、４０３ｋ・・・空きテーブル、４０４・・・書き込みポインタ、７０１・・・前チャプタ画像、７０２・・・選択チャプタ画像、７０３・・・後チャプタ画像、７０４・・・チャプタ一覧画面、７０５・・・チャプタ情報画面、７０６・・・選択指示画面、７０７・・・再生アイコン、７０８・・・削除アイコン、７０９・・・キャンセルアイコン、２０００・・・デバイス群、３０００・・・アプリケーション群、３００１・・・ドライバ群
【図１】
2008011036.tif 000003
【図２】
2008011036.tif 000004
【図３】
2008011036.tif 000005
【図４】
2008011036.tif 000006
【図５】
2008011036.tif 000007
【図６Ａ】
2008011036.tif 000008
【図６Ｂ】
2008011036.tif 000009
【図７Ａ】
2008011036.tif 000010
【図７Ｂ】
2008011036.tif 000011
【図８Ａ】
2008011036.tif 000012
【図８Ｂ】
2008011036.tif 000013